(57)【要約】【課題】ユーザに、入力画面に対して企業に係る各種の情報を容易に入力させる。【解決手段】  Ｗｅｂページの入力画面に企業情報を入力する端末と、入力画面への情報入力を支援する入力支援装置とを備えた入力支援システムであって、  端末は、入力画面に企業名が入力されたことを検出し、企業名と、Ｗｅｂブラウザに関連付けられたＩＰアドレス及び端末の位置情報の少なくとも一方と含む情報を入力支援装置に第１通信手段を介して送信する第１制御手段を備え、  入力支援装置は、企業の、企業名と、Ｗｅｂブラウザに関連付けられたＩＰアドレス及び前記企業の住所の少なくとも一方とを含む企業情報を記憶する記憶手段と、位置情報を用いて取得された住所及び端末から受信したＩＰアドレスの少なくとも一方と、端末から受信した前記企業名とを用いて、記憶手段から企業候補と企業候補の企業情報を取得する第２制御手段と、を備える。【選択図】図１
2019079223.tif 000002
【特許請求の範囲】
【請求項１】
Ｗｅｂページの入力画面に企業情報を入力する端末と、前記入力画面への情報入力を支援する入力支援装置とを備えた入力支援システムであって、
前記端末は、
前記入力支援装置と通信を行う第１通信手段と、
前記入力画面に企業名が入力されたことを検出し、該企業名と、Ｗｅｂブラウザに関連付けられたＩＰアドレス及び前記端末の位置情報の少なくとも一方と含む情報を前記入力支援装置に前記第１通信手段を介して送信する第１制御手段と、を備え、
前記入力支援装置は、
企業の、企業名と、Ｗｅｂブラウザに関連付けられたＩＰアドレス及び前記企業の住所の少なくとも一方とを含む企業情報を記憶する記憶手段と、
前記端末から、入力された前記企業名と、前記ＩＰアドレス及び前記位置情報の少なくとも一方とを受信する第２通信手段と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する第２制御手段と、を備え、
前記第２制御手段は前記第２通信手段を介して、前記端末に前記企業候補と前記企業候補の企業情報とを送信し、
前記第１制御手段は、前記第１通信手段により受信した前記企業候補から選択された企業の企業情報に基づいて、前記入力画面に前記企業名以外の企業情報を入力する、入力支援システム。
【請求項２】
Ｗｅｂページの入力画面に企業情報を入力する端末と、前記入力画面への情報入力を支援する入力支援装置とを備えた入力支援システムであって、
前記端末は、
前記入力支援装置と通信を行う第１通信手段と、
Ｗｅｂブラウザに関連付けられたＩＰアドレス及び前記端末の位置情報の少なくとも一方を含む情報を前記入力支援装置に前記第１通信手段を介して送信する第１制御手段と、を備え、
前記入力支援装置は、
企業の、Ｗｅｂブラウザに関連付けられたＩＰアドレス及び前記企業の住所の少なくとも一方を含む企業情報を記憶する記憶手段と、
前記端末から、前記ＩＰアドレス及び前記位置情報の少なくとも一方を受信する第２通信手段と、
前記位置情報を用いて取得された住所及び前記端末から受信した前記ＩＰアドレスの少なくとも一方を用いて、前記記憶手段から企業候補と該企業候補の企業情報を取得する第２制御手段と、を備え、
前記第２制御手段は前記第２通信手段を介して、前記端末に前記企業候補と前記企業候補の企業情報とを送信し、
前記第１制御手段は、前記第１通信手段により受信した前記企業候補から選択した企業の企業情報に基づいて、前記入力画面に前記企業情報を入力する、入力支援システム。
【請求項３】
Ｗｅｂページの入力画面に企業情報を入力する端末と、前記入力画面への情報入力を支援する入力支援装置とを備えた入力支援システムであって、
前記端末は、
前記入力支援装置と通信を行う第１通信手段と、
前記入力画面に企業名が入力されたことを検出し、該企業名と、Ｗｅｂブラウザに関連付けられたＩＰアドレス及び前記端末の位置情報の少なくとも一方と含む情報を前記入力支援装置に前記第１通信手段を介して送信する第１制御手段と、を備え、
前記入力支援装置は、
企業の、企業名と、Ｗｅｂブラウザに関連付けられたＩＰアドレス及び前記企業の住所の少なくとも一方とを含む企業情報を記憶する記憶手段と、
前記端末から、入力された前記企業名と、前記ＩＰアドレス及び前記位置情報の少なくとも一方とを受信する第２通信手段と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する第２制御手段と、を備え、
前記第２制御手段は前記第２通信手段を介して、前記端末に前記企業候補と前記企業候補の企業情報とを送信し、
前記第１制御手段は、前記第１通信手段により受信した前記企業候補から企業を選択し、選択情報を前記第１通信手段により前記入力支援装置に送信し、
前記第２制御手段は前記選択情報に基づいて、前記入力画面に入力される、選択された企業の企業名以外の企業情報を前記第１通信手段により前記端末に送信する、入力支援システム。
【請求項４】
Ｗｅｂページの入力画面に企業情報を入力する端末と、前記入力画面への情報入力を支援する入力支援装置とを備えた入力支援システムであって、
前記端末は、
前記入力支援装置と通信を行う第１通信手段と、
Ｗｅｂブラウザに関連付けられたＩＰアドレス及び前記端末の位置情報の少なくとも一方を含む情報を前記入力支援装置に前記第１通信手段を介して送信する第１制御手段と、を備え、
前記入力支援装置は、
企業の、Ｗｅｂブラウザに関連付けられたＩＰアドレス及び前記企業の住所の少なくとも一方を含む企業情報を記憶する記憶手段と、
前記端末から、前記ＩＰアドレス及び前記位置情報の少なくとも一方を受信する第２通信手段と、
前記位置情報を用いて取得された住所及び前記端末から受信した前記ＩＰアドレスの少なくとも一方を用いて、前記記憶手段から企業候補と該企業候補の企業情報を取得する第２制御手段と、を備え、
前記第２制御手段は前記第２通信手段を介して、前記端末に前記企業候補と前記企業候補の企業情報とを送信し、
前記第１制御手段は、前記第１通信手段により受信した前記企業候補から企業を選択し、選択情報を前記第１通信手段により前記入力支援装置に送信し、
前記第２制御手段は前記選択情報に基づいて前記入力画面に入力される、選択された企業の企業情報を前記第１通信手段により前記端末に送信する、入力支援システム。
【請求項５】
端末と接続され、該端末での、Ｗｅｂページの入力画面への企業情報入力を支援する入力支援装置であって、
企業の、企業名と、Ｗｅｂブラウザに関連付けられたＩＰアドレス及び前記企業の住所の少なくとも一方とを含む企業情報を記憶する記憶手段と、
前記端末から、入力された前記企業名と、前記ＩＰアドレス及び位置情報の少なくとも一方とを受信する通信手段と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する制御手段と、を備え、
前記制御手段は前記通信手段を介して、前記端末に前記企業候補と前記企業候補の企業情報とを送信する、入力支援装置。
【請求項６】
端末と接続され、該端末での、Ｗｅｂページの入力画面への企業情報入力を支援する入力支援装置であって、
企業の、Ｗｅｂブラウザに関連付けられたＩＰアドレス及び前記企業の住所の少なくとも一方を含む企業情報を記憶する記憶手段と、
前記端末から、前記ＩＰアドレス及び位置情報の少なくとも一方を受信する通信手段と、
前記位置情報を用いて取得された住所及び前記端末から受信した前記ＩＰアドレスの少なくとも一方を用いて、前記記憶手段から企業候補と該企業候補の企業情報を取得する制御手段と、を備え、
前記制御手段は前記通信手段を介して、前記端末に前記企業候補と前記企業候補の企業情報とを送信する、入力支援装置。
【請求項７】
端末と接続され、該端末での、Ｗｅｂページの入力画面への企業情報入力を支援する入力支援装置であって、
企業の、企業名と、Ｗｅｂブラウザに関連付けられたＩＰアドレス及び前記企業の住所の少なくとも一方とを含む企業情報を記憶する記憶手段と、
前記端末から、入力された前記企業名と、前記ＩＰアドレス及び位置情報の少なくとも一方とを受信する通信手段と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する制御手段と、を備え、
前記制御手段は、前記通信手段により、前記端末に前記企業候補と前記企業候補の企業情報とを送信し、
前記制御手段は、前記端末から受信した、前記企業候補から選択された企業の選択情報に基づいて、前記入力画面に入力される、選択された企業の企業名以外の企業情報を前記通信手段により前記端末に送信する、入力支援装置。
【請求項８】
端末と接続され、該端末での、Ｗｅｂページの入力画面への企業情報入力を支援する入力支援装置であって、
企業の、Ｗｅｂブラウザに関連付けられたＩＰアドレス及び前記企業の住所の少なくとも一方を含む企業情報を記憶する記憶手段と、
前記端末から、前記ＩＰアドレス及び位置情報の少なくとも一方を受信する通信手段と、
前記位置情報を用いて取得された住所及び前記端末から受信した前記ＩＰアドレスの少なくとも一方を用いて、前記記憶手段から企業候補と該企業候補の企業情報を取得する制御手段と、を備え、
前記制御手段は、前記通信手段により、前記端末に前記企業候補と前記企業候補の企業情報とを送信し、
前記制御手段は、前記端末から受信した、前記企業候補から選択された企業の選択情報に基づいて、前記入力画面に入力される、選択された企業の企業情報を前記通信手段により前記端末に送信する、入力支援装置。
【発明の詳細な説明】
【技術分野】
【０００１】
本発明は、入力支援システム及び入力支援装置に関する。
【背景技術】
【０００２】
企業情報を入力する入力支援装置としては、例えば、特許文献１に記載された入力支援装置がある。この入力支援装置は、端末から送信された電話番号に基づいて、電話番号と関連付けられた企業情報を記憶する記憶部から企業情報を取得し、この企業情報を端末に送信する。
【先行技術文献】
【特許文献】
【０００３】
【特許文献１】特開２０１７−５８９６４号公報
【発明の概要】
【発明が解決しようとする課題】
【０００４】
しかしながら、企業情報を入力画面に入力するときに、電話番号でサーチしようとする場合に、企業名が分かっていても電話番号が分からないときがあり、また、企業名でサーチしようとする場合に、同一の企業名を持つ会社が存在する場合がある。
【０００５】
本発明は、ユーザに、入力画面に対して企業に係る各種の情報を容易に入力させることができる入力支援システム及び入力支援装置を提供することを目的とする。
【課題を解決するための手段】
【０００６】
（１）  本発明に係る第１の態様は、Ｗｅｂページの入力画面に企業情報を入力する端末と、前記入力画面への情報入力を支援する入力支援装置とを備えた入力支援システムであって、
前記端末は、
前記入力支援装置と通信を行う第１通信手段と、
前記入力画面に企業名が入力されたことを検出し、該企業名と、Ｗｅｂブラウザに関連付けられたＩＰアドレス及び前記端末の位置情報の少なくとも一方と含む情報を前記入力支援装置に前記第１通信手段を介して送信する第１制御手段と、を備え、
前記入力支援装置は、企業の、企業名と、Ｗｅｂブラウザに関連付けられたＩＰアドレス及び前記企業の住所の少なくとも一方とを含む企業情報を記憶する記憶手段と、
前記端末から、入力された前記企業名と、前記ＩＰアドレス及び前記位置情報の少なくとも一方とを受信する第２通信手段と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する第２制御手段と、を備え、
前記第２制御手段は前記第２通信手段を介して、前記端末に前記企業候補と前記企業候補の企業情報とを送信し、
前記第１制御手段は、前記第１通信手段により受信した前記企業候補から選択された企業の企業情報に基づいて、前記入力画面に前記企業名以外の企業情報を入力する、入力支援システムである。
【０００７】
（２）  本発明に係る第２の態様は、Ｗｅｂページの入力画面に企業情報を入力する端末と、前記入力画面への情報入力を支援する入力支援装置とを備えた入力支援システムであって、
前記端末は、
前記入力支援装置と通信を行う第１通信手段と、
Ｗｅｂブラウザに関連付けられたＩＰアドレス及び前記端末の位置情報の少なくとも一方を含む情報を前記入力支援装置に前記第１通信手段を介して送信する第１制御手段と、を備え、
前記入力支援装置は、企業の、Ｗｅｂブラウザに関連付けられたＩＰアドレス及び前記企業の住所の少なくとも一方を含む企業情報を記憶する記憶手段と、
前記端末から、前記ＩＰアドレス及び前記位置情報の少なくとも一方を受信する第２通信手段と、
前記位置情報を用いて取得された住所及び前記端末から受信した前記ＩＰアドレスの少なくとも一方を用いて、前記記憶手段から企業候補と該企業候補の企業情報を取得する第２制御手段と、を備え、
前記第２制御手段は前記第２通信手段を介して、前記端末に前記企業候補と前記企業候補の企業情報とを送信し、
前記第１制御手段は、前記第１通信手段により受信した前記企業候補から選択した企業の企業情報に基づいて、前記入力画面に前記企業情報を入力する、入力支援システムである。
【０００８】
（３）  本発明に係る第３の態様は、Ｗｅｂページの入力画面に企業情報を入力する端末と、前記入力画面への情報入力を支援する入力支援装置とを備えた入力支援システムであって、
前記端末は、
前記入力支援装置と通信を行う第１通信手段と、
前記入力画面に企業名が入力されたことを検出し、該企業名と、Ｗｅｂブラウザに関連付けられたＩＰアドレス及び前記端末の位置情報の少なくとも一方と含む情報を前記入力支援装置に前記第１通信手段を介して送信する第１制御手段と、を備え、
前記入力支援装置は、企業の、企業名と、Ｗｅｂブラウザに関連付けられたＩＰアドレス及び前記企業の住所の少なくとも一方とを含む企業情報を記憶する記憶手段と、
前記端末から、入力された前記企業名と、前記ＩＰアドレス及び前記位置情報の少なくとも一方とを受信する第２通信手段と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する第２制御手段と、を備え、
前記第２制御手段は前記第２通信手段を介して、前記端末に前記企業候補と前記企業候補の企業情報とを送信し、
前記第１制御手段は、前記第１通信手段により受信した前記企業候補から企業を選択し、選択情報を前記第１通信手段により前記入力支援装置に送信し、
前記第２制御手段は前記選択情報に基づいて、前記入力画面に入力される、選択された企業の企業名以外の企業情報を前記第１通信手段により前記端末に送信する、入力支援システムである。
【０００９】
（４）  本発明に係る第４の態様は、Ｗｅｂページの入力画面に企業情報を入力する端末と、前記入力画面への情報入力を支援する入力支援装置とを備えた入力支援システムであって、
前記端末は、
前記入力支援装置と通信を行う第１通信手段と、
Ｗｅｂブラウザに関連付けられたＩＰアドレス及び前記端末の位置情報の少なくとも一方を含む情報を前記入力支援装置に前記第１通信手段を介して送信する第１制御手段と、を備え、
前記入力支援装置は、企業の、Ｗｅｂブラウザに関連付けられたＩＰアドレス及び前記企業の住所の少なくとも一方を含む企業情報を記憶する記憶手段と、
前記端末から、前記ＩＰアドレス及び前記位置情報の少なくとも一方を受信する第２通信手段と、
前記位置情報を用いて取得された住所及び前記端末から受信した前記ＩＰアドレスの少なくとも一方を用いて、前記記憶手段から企業候補と該企業候補の企業情報を取得する第２制御手段と、を備え、
前記第２制御手段は前記第２通信手段を介して、前記端末に前記企業候補と前記企業候補の企業情報とを送信し、
前記第１制御手段は、前記第１通信手段により受信した前記企業候補から企業を選択し、選択情報を前記第１通信手段により前記入力支援装置に送信し、
前記第２制御手段は前記選択情報に基づいて前記入力画面に入力される、選択された企業の企業情報を前記第１通信手段により前記端末に送信する、入力支援システムである。
【００１０】
（５）  本発明に係る第５の態様は、端末と接続され、該端末での、Ｗｅｂページの入力画面への企業情報入力を支援する入力支援装置であって、
企業の、企業名と、Ｗｅｂブラウザに関連付けられたＩＰアドレス及び前記企業の住所の少なくとも一方とを含む企業情報を記憶する記憶手段と、
前記端末から、入力された前記企業名と、前記ＩＰアドレス及び前記位置情報の少なくとも一方とを受信する通信手段と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する制御手段と、を備え、
前記制御手段は前記通信手段を介して、前記端末に前記企業候補と前記企業候補の企業情報とを送信する、入力支援装置である。
【００１１】
（６）  本発明に係る第６の態様は、端末と接続され、該端末での、Ｗｅｂページの入力画面への企業情報入力を支援する入力支援装置であって、
企業の、Ｗｅｂブラウザに関連付けられたＩＰアドレス及び前記企業の住所の少なくとも一方を含む企業情報を記憶する記憶手段と、
前記端末から、前記ＩＰアドレス及び前記位置情報の少なくとも一方を受信する通信手段と、
前記位置情報を用いて取得された住所及び前記端末から受信した前記ＩＰアドレスの少なくとも一方を用いて、前記記憶手段から企業候補と該企業候補の企業情報を取得する制御手段と、を備え、
前記制御手段は前記通信手段を介して、前記端末に前記企業候補と前記企業候補の企業情報とを送信する、入力支援装置である。
【００１２】
（７）  本発明に係る第７の態様は、端末と接続され、該端末での、Ｗｅｂページの入力画面への企業情報入力を支援する入力支援装置であって、
企業の、企業名と、Ｗｅｂブラウザに関連付けられたＩＰアドレス及び前記企業の住所の少なくとも一方とを含む企業情報を記憶する記憶手段と、
前記端末から、入力された前記企業名と、前記ＩＰアドレス及び前記位置情報の少なくとも一方とを受信する通信手段と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する制御手段と、を備え、
前記制御手段は、前記通信手段により、前記端末に前記企業候補と前記企業候補の企業情報とを送信し、
前記制御手段は、前記端末から受信した、前記企業候補から選択された企業の選択情報に基づいて、前記入力画面に入力される、選択された企業の企業名以外の企業情報を前記通信手段により前記端末に送信する、入力支援装置である。
【００１３】
（８）  本発明に係る第８の態様は、端末と接続され、該端末での、Ｗｅｂページの入力画面への企業情報入力を支援する入力支援装置であって、
企業の、Ｗｅｂブラウザに関連付けられたＩＰアドレス及び前記企業の住所の少なくとも一方を含む企業情報を記憶する記憶手段と、
前記端末から、前記ＩＰアドレス及び前記位置情報の少なくとも一方を受信する通信手段と、
前記位置情報を用いて取得された住所及び前記端末から受信した前記ＩＰアドレスの少なくとも一方を用いて、前記記憶手段から企業候補と該企業候補の企業情報を取得する制御手段と、を備え、
前記制御手段は、前記通信手段により、前記端末に前記企業候補と前記企業候補の企業情報とを送信し、
前記制御手段は、前記端末から受信した、前記企業候補から選択された企業の選択情報に基づいて、前記入力画面に入力される、選択された企業の企業情報を前記通信手段により前記端末に送信する、入力支援装置である。
【発明の効果】
【００１４】
本発明によれば、ユーザに、入力画面に対して企業に係る各種の情報を容易に入力させることができる。
【図面の簡単な説明】
【００１５】
【図１】本発明の第１の実施形態に係る入力支援システムの構成を示すブロック図である。
【図２】ユーザ端末の一構成例を示すブロック図である。
【図３】Ｗｅｂサーバの一構成例を示すブロック図である。
【図４】企業名を入力した入力画面を示す図である。
【図５】企業候補を会社名の入力欄の下に表示した入力画面を示す図である。
【図６】企業情報を入力した入力画面を示す図である。
【図７】第１の実施形態に係る入力支援システム１における処理の流れを示すシーケンス図である。
【図８】本発明の第２の実施形態に係る入力支援システムの構成を示すブロック図である。
【発明を実施するための形態】
【００１６】
以下、本発明の実施形態について図面を用いて詳細に説明する。
（第１の実施形態）
図１は、本発明の第１の実施形態に係る入力支援システムの構成を示すブロック図である。
入力支援システム１は、据え置き型パーソナルコンピュータ（ＰＣ）、タブレット型ＰＣ、スマートフォン等のユーザ端末１０と、ユーザ端末１０に表示される入力画面への情報入力を支援するＷｅｂサーバ２０、Ｗｅｂサーバ２０と接続される位置情報データベース３０、Ｗｅｂサーバ２０と接続される企業情報データベース４０、及びユーザ端末１０とＷｅｂサーバ２０とを接続するインターネット等の通信ネットワーク５０を備えている。Ｗｅｂサーバ２０、位置情報データベース３０、及び企業情報データベース４０は入力支援装置を構成する。
【００１７】
入力支援システム１は、例えば、他社に資料請求・問い合わせを行う際の、自社の企業情報の入力時に、ユーザ端末１０に表示される企業情報の入力画面への情報入力を支援する。Ｗｅｂサーバ２０、位置情報データベース３０及び企業情報データベース４０は他社が保有、管理する。位置情報データベース３０及び企業情報データベース４０はＷｅｂサーバ２０を保有、管理する会社とは別の会社が保有、管理し、情報をＷｅｂサーバ２０に提供してもよい。
位置情報データベース３０には、緯度と経度のような位置情報と、企業の住所とが紐づけられて記憶されている。なお、位置情報がＷｅｂサーバ２０に送信されない場合には、位置情報データベース３０は設けなくともよい。
企業情報データベース４０には、企業名、住所、電話番号、従業員規模を含む企業情報が記憶されている。企業候補をユーザ端末１０のＷｅｂブラウザに関連付けられたＩＰアドレスを用いてサーチする場合には、ＩＰアドレスが企業情報と紐づけられて記憶されている。
Ｗｅｂサーバ２０は、例えば、企業情報を管理する外部装置から、新たに追加された企業情報、変更された企業情報、及び削除された企業情報を定期的に取得し、これらの情報に基づいて、企業情報データベース４０に記憶されている情報を最新の状態に維持する。
【００１８】
図２はユーザ端末１０の一構成例を示すブロック図である。ユーザ端末１０は、入力部１１、表示部１２、通信部１３、記憶部１４及び制御部１５を備えている。
入力部１１はキーボードやマウス等を含んでおり、ユーザ端末１０のユーザから自社の企業名等が入力される。
表示部１２は液晶ディスプレイ、又は有機ＥＬ（Electro-Luminescence）ディスプレイ等が用いられる。表示部１２は、Ｗｅｂサーバ２０から送信される、企業情報の入力に係る入力画面を表示する。入力画面には企業名、住所、電話番号、従業員規模等の入力欄がある。
通信部１３はＷｅｂサーバ２０と通信ネットワーク５０を介して通信を行う。
記憶部１４は、ＲＯＭ及びＲＡＭ等であり、ユーザ端末１０を動作させるプログラムを記憶する。
制御部１５はＣＰＵ等であり、記憶部１４に記憶されたプログラムを読み出して、入力部１１、表示部１２、及び通信部１３を制御する。
【００１９】
制御部１５は、Ｗｅｂブラウザを用いてＷｅｂサーバ２０から企業情報の入力に係る、Ｗｅｂページの入力画面（以下、単に入力画面という。）を、通信部１３を介して取得し、入力画面を表示部１２に表示させる。制御部１５は、入力部１１により入力画面の入力欄に企業名が入力されたか否かを判定し、企業名が入力されたことを検出すると、入力された企業名を、通信部１３を介してＷｅｂサーバ２０に送信する。企業名の他に、Ｗｅｂブラウザに関連付けられたＩＰアドレス又は／及びユーザ端末１０の位置情報（例えば、緯度と経度）を併せて送信する。ユーザ端末１０の位置情報はユーザ端末１０がＧＰＳ機能を持っている場合はＧＰＳ機能に基づく位置情報、ユーザ端末１０が無線アクセスポイントを介して通信を行っている場合には無線アクセスポイントの位置情報を用いることができる。
【００２０】
図３はＷｅｂサーバ２０の一構成例を示すブロック図である。Ｗｅｂサーバ２０は、通信部２１、外部インターフェイス部２２、記憶部２３、及び制御部２４を備えている。
通信部２１はユーザ端末１０と通信ネットワーク５０を介して通信を行う。
外部インターフェイス部２２は、位置情報データベース３０及び企業情報データベース４０と、Ｗｅｂサーバ２０とを接続する。
記憶部２３は、ＲＯＭ及びＲＡＭ等であり、Ｗｅｂサーバ２０を動作させるプログラムを記憶する。
制御部２４はＣＰＵ等であり、記憶部２３に記憶されたプログラムを読み出して、通信部２１、外部インターフェイス部２２を制御する。
【００２１】
Ｗｅｂサーバ２０は、ユーザ端末１０から、入力された企業名と、Ｗｅｂブラウザに関連付けられたＩＰアドレス又は／及びユーザ端末１０の位置情報とを、通信部２１を介して受信する。制御部２４は、企業名と、ＩＰアドレス又は／及び位置情報に基づいて企業情報を取得する。企業名とユーザ端末１０の位置情報とを用いる場合、制御部２４は位置情報を用いて外部インターフェイス部２２を介して位置情報データベース３０をサーチして住所を求める。求めた住所と企業名とを用いて、外部インターフェイス部２２を介して企業情報データベース４０をサーチして企業候補を求め、企業候補の企業情報を取得する。Ｗｅｂサーバ２０は、企業名に加えて、Ｗｅｂブラウザに関連付けられたＩＰアドレス又は／及びユーザ端末１０の位置情報を取得して、企業名と、位置情報を用いて得られた住所又はＩＰアドレスとを用いて複数の候補から１つ又は複数の候補を絞ることができる。
企業名でサーチを行った場合に、同一企業名の複数の企業候補がサーチされ、それらの住所が東京都の渋谷区、新宿区、神奈川県の横浜市戸塚区であるときに、位置情報を用いて得られた住所が渋谷区であれば、企業候補を１つに絞ることができる。
取得した、企業候補と、この企業候補の企業情報とをユーザ端末１０に送信する。
【００２２】
複数の企業候補と、これらの複数の企業候補の企業情報とをサーチされる場合、制御部２４はユーザが入力画面に記入しようとする企業と一致する可能性が高い順に企業候補を並べることもできる。例えば、サーチ履歴を参照してサーチの頻度の高い企業候補を上位に配置することができる。
【００２３】
企業名に加えてＷｅｂブラウザに関連付けられたＩＰアドレスを用いる場合、制御部２４は企業名とＩＰアドレスを用いて、外部インターフェイス部２２を介して企業情報データベース４０をサーチして企業候補を求め、企業候補の企業情報を取得する。企業名でサーチを行い、同一企業名の複数の企業候補が抽出された場合に、ＩＰアドレスが一致する企業を選択して企業候補を１つに絞ることができる。
【００２４】
企業名に加えて、位置情報及びＩＰアドレスを用いれば、更に企業候補の選択の精度を上げることができる。例えば、高層ビルに同一企業名の複数の企業が入っている場合は、企業名及び位置情報では企業を特定することができない場合がある。このような場合、更に、ＩＰアドレスを併せて用いることで、企業を特定することが可能となる。
【００２５】
以上、企業名と、位置情報又は／及びＩＰアドレスとを用いて企業候補を求める例について説明したが、位置情報又はＩＰアドレスのみ、又は位置情報とＩＰアドレスを用いて企業候補を求めることもできる。
【００２６】
ユーザ端末１０の制御部１５は、ユーザが表示部１２の入力画面に表示された１又は複数の企業候補の中から、企業候補の企業情報を参照して１つの企業を選択すると、入力画面に設けられている各入力欄に対して、受信した企業情報、例えば住所、電話番号、従業員規模等を反映する。企業候補が１つの場合に、企業候補の情報が入力画面に入力しようする企業に該当するか否かが選択される。なお、制御部１５は企業候補の企業情報を参照して１つの企業を選択した場合に、選択情報をＷｅｂサーバ２０に送信し、制御部２４が選択情報に基づいて、入力画面の各入力欄に入力される、選択された企業の企業情報（例えば住所、電話番号、従業員規模）をユーザ端末１０に送信してもよい。この場合、Ｗｅｂサーバ２０からユーザ端末１０に送る企業候補の企業情報は、企業候補に関する全ての企業情報を送信する必要がなく、選択に必要な情報（例えば、企業名、住所のみ）を送ればよく、Ｗｅｂサーバ２０からユーザ端末１０に送る、入力画面の各入力欄に入力される企業情報も選択された企業に関するものだけでよい。
【００２７】
以下、表示部１２に表示される入力画面に企業名を入力して企業候補を表示し、企業情報が入力される例について図４〜図６を用いて説明する。図４は企業名を入力した入力画面を示す図である。ユーザ端末１０は、図４に示す入力画面ＳＣ１を、Ｗｅｂブラウザを用いてＷｅｂサーバ２０から取得する。ユーザは入力画面ＳＣ１内の入力領域ＳＣ２の会社名（企業名）の入力欄に入力部１１を用いて「株式会社ＡＢＣ」を入力する。
【００２８】
Ｗｅｂサーバ２０は会社名「株式会社ＡＢＣ」とユーザ端末１０の位置情報から求められた住所に基づいて企業情報データベース４０をサーチして企業候補を抽出する。ユーザ端末１０は、図５に示すように、Ｗｅｂサーバ２０から送信された企業候補を図５の入力領域ＳＣ２の会社名の入力欄の下に表示する。企業名と住所により企業候補を１つに特定することも可能であるが、ここでは企業名でのサーチにより検出された、住所の異なる「株式会社ＡＢＣ」が二つ表示されている。なお、位置情報から求められた住所が「東京都渋谷区渋谷・・・」であるので、住所が「東京都渋谷区渋谷・・・」である会社名「株式会社ＡＢＣ」の企業候補を上位に表示している。ユーザは入力領域ＳＣ２の会社名（企業名）の入力欄の下に表示された複数の企業候補から、入力部１１を用いて企業候補の一つを選択する。この場合、図５の１番目の「株式会社ＡＢＣ」を選択する。
【００２９】
ユーザ端末１０の制御部１５は選択された企業候補の企業情報を、図６に示す入力領域に、住所、電話番号、従業員規模に分けてそれぞれの入力欄に入力する。
なお、企業名を用いない場合には、位置情報又は／及びＩＰアドレスは、例えばユーザが入力部１１を用いて図４の会社名の入力欄を選択するだけで（例えば、マウスで入力欄をクリックする）、位置情報又は／及びＩＰアドレスがＷｅｂサーバ２０に送られ、Ｗｅｂサーバ２０は当該位置情報から求められた住所又は／及びＩＰアドレスに関連付けられている企業候補の企業情報を企業情報データベース４０から取得し、企業候補及びその企業情報をユーザ端末１０に送り、制御部１５は図５に示すように、当該入力画面の会社名の入力欄の下に企業候補を表示する。
【００３０】
以上説明したように、ユーザ端末１０に表示されている入力画面に含まれる入力欄に企業名が入力されたことに応じて、当該企業名に関連付けられている企業情報を企業情報データベース４０から取得し、当該入力画面に表示させる。企業名を用いない場合には、位置情報又は／及びＩＰアドレスは会社名の入力欄を選択するだけで、位置情報又は／及びＩＰアドレスがＷｅｂサーバ２０に送られ、当該位置情報又は／及びＩＰアドレスに関連付けられている企業情報を企業情報データベース４０から取得し、当該入力画面に表示させる。これにより、入力支援システム１は、ユーザに、入力画面に対して企業に係る各種の情報を容易に入力させることができる。
また、入力支援システム１は、各項目に対するユーザの入力ミスを防止することができる。
【００３１】
［入力支援システム１における処理の流れ］
続いて、入力支援システム１における処理の流れを説明しながら、ユーザ端末１０の制御部１５が備える機能の詳細と、Ｗｅｂサーバ２０の制御部２４が備える機能の詳細とを説明する。図７は、第１の実施形態に係る入力支援システム１における処理の流れを示すシーケンス図である。
【００３２】
まず、ユーザ端末１０は、ステップＳ１０１において、入力部１１からＷｅｂブラウザを用いて資料請求等のＷｅｂページの取得要求があると、制御部１５は資料請求等のＷｅｂページの取得要求を、通信部１３を介してＷｅｂサーバ２０に送信する。
【００３３】
Ｗｅｂサーバ２０の通信部２１が、ユーザ端末１０からＷｅｂページの取得要求を受信すると、制御部２４はステップＳ２０１において、記憶部２３に記憶されているＷｅｂページ情報を取得し、Ｗｅｂページを、通信部２１を介してユーザ端末１０に送信する。ここで、Ｗｅｂページは、Ｗｅｂブラウザに表示される図４に示すような入力画面ＳＣ１である。
【００３４】
ユーザ端末１０が、通信部１３を介してＷｅｂサーバ２０から入力画面を受信すると、制御部１５は、表示部１２に表示されているＷｅｂブラウザに当該入力画面を表示させる。制御部１５はステップＳ１０２において、入力部１１によりユーザが企業名を入力したことを検出すると、ステップＳ１０３において、入力された企業名に、Ｗｅｂブラウザに関連付けられたＩＰアドレス及びユーザ端末１０の位置情報を加えてＷｅｂサーバＳ１０３に送信する。ここでは、企業名、位置情報及びＩＰアドレスをＷｅｂサーバＳ１０３に送信しているが、位置情報若しくは／及びＩＰアドレスを送信してもよく、又は企業名と位置情報及びＩＰアドレスの一方とを送信してもよい。
【００３５】
Ｗｅｂサーバ２０の制御部２４は、ステップＳ２０２において、通信部２１を介して受信した情報に、位置情報が含まれている場合には、位置情報を用いて外部インターフェイス部２２を介して位置情報データベース（ＤＢ）３０をサーチ（検索）して住所を求める。制御部２４は、ステップＳ２０３において、求めた住所と企業名とＩＰアドレスを用いて、外部インターフェイス部２２を介して企業情報データベース４０をサーチして企業候補を求め、企業候補の企業情報を取得する。
受信した情報に、位置情報が含まれていない場合には、制御部２４は、ステップＳ２０２を経ず、ステップＳ２０３において、企業名及びＩＰアドレス、又はＩＰアドレスを用いて、外部インターフェイス部２２を介して企業情報データベース４０をサーチして企業候補を求め、企業候補の企業情報を取得する。
【００３６】
企業候補が複数の場合は、制御部２４はステップＳ２０４で、ユーザが入力画面に記入しようとする企業と一致する可能性が高い順に企業候補を並べる。企業候補が複数の場合は、例えば、位置情報に基づく住所のみでサーチして、異なる企業名の企業候補が取得された場合、企業情報データベース４０の登録企業の一部にＩＰアドレスが登録されておらず、且つ住所が全て記載されておらず（登録企業の一部の番地が記載されていない）、複数の企業候補が取得された場合等である。
ユーザが入力画面に記入しようとする企業と一致する可能性が高い順に企業候補を並べる方法は、例えば、サーチ履歴を参照してサーチの頻度の高い企業候補順に並べる等がある。
【００３７】
制御部２４は、取得した企業候補と、この企業候補の企業情報とを、通信部２１を介してユーザ端末１０に送信する。
ユーザ端末１０の通信部１３が企業候補と、この企業候補の企業情報とを受信すると、制御部１５は、入力画面に全ての企業候補の企業名、住所等の企業情報を表示部１２に表示して、ユーザに入力部１１を介して選択させる。例えば、図５に示すように、Ｗｅｂサーバ２０から送信された企業候補と企業情報を図５の入力領域ＳＣ２の会社名の入力欄の下に表示する。制御部１５は、ステップＳ１０４で、ユーザが入力部１１を介して企業を選択したことを検出すると、ステップＳ１０５において、選択した企業の企業情報を入力画面（Ｗｅｂページ）の各入力欄に入力し、表示させる。具体的には、制御部１５は、住所、電話番号、従業員規模の入力欄に、選択した企業の住所、電話番号、従業員規模を入力、表示する。
【００３８】
ユーザが入力画面に企業情報を全て記入すると、ユーザは、例えば図６に示す入力画面の下の「次へ」を選択する。制御部１５は「次へ」が選択されたことを検出すると、ステップＳ１０６において、制御部１５は表示部１２に内容確認画面を表示させる。ユーザが内容確認画面の記載内容を確認し、内容確認画面の下の「次へ」を選択すると、制御部１５は表示部１２に送信画面を表示させる。
ユーザが送信画面の「送信」を選択すると、ステップＳ１０７において、制御部１５は通信部１３を介して、資料請求・問い合わせの入力情報をＷｅｂサーバ２０に送る。
【００３９】
以上の説明では、制御部１５は、ステップＳ１０４で、ユーザが入力部１１を介して企業を選択したことを検出すると、ステップＳ１０５において、選択した企業の企業情報を入力画面（Ｗｅｂページ）の各入力欄に入力し、表示させていた。しかしながら、ステップＳ１０４で企業が選択された場合に、制御部１５は選択情報をＷｅｂサーバ２０に送信し、Ｗｅｂサーバ２０の制御部２４がステップＳ１０５、すなわち、選択した企業の企業情報を入力画面（Ｗｅｂページ）の各入力欄に入力する、選択された企業の企業情報（例えば住所、電話番号、従業員規模）をユーザ端末１０に送信してもよい。そして、上述した動作と同様に、入力画面に選択した企業の企業情報が全て入力され、ユーザは例えば図６に示す入力画面の下の「次へ」を選択し、制御部１５は上述したそれ以後の動作を行う。
【００４０】
（第２の実施形態）
第１の実施形態の入力支援システム１は、他社のＷｅｂサーバから資料請求・問い合わせ等を行うための入力画面（Ｗｅｂページ）を取得し、自社の企業情報の入力時に、入力支援装置を構成するＷｅｂサーバ等の入力支援を受けて、入力画面への情報入力を行う場合の構成例である。
本実施形態の入力支援システム２は、他社のＷｅｂサーバから資料請求・問い合わせを行うための入力画面（Ｗｅｂページ）を取得し、自社の企業情報の入力時に、入力支援装置を構成する情報提供サーバ等の入力支援を受けて、入力画面への情報入力を行う場合の構成例である。
図８は、本発明の第２の実施形態に係る入力支援システムの構成を示すブロック図である。図１と同一構成部材について同一符号を付して説明を省略する。
【００４１】
入力支援システム２は、ユーザ端末１０と、ユーザ端末１０に表示される、資料請求・問い合わせ等を行うための入力画面（Ｗｅｂページ）を送信するＷｅｂサーバ６０、ユーザ端末１０に表示される入力画面への情報入力を支援する情報提供サーバ７０、情報提供サーバ７０と接続される位置情報データベース３０、情報提供サーバ７０と接続される企業情報データベース４０、及びユーザ端末１０とＷｅｂサーバ６０及び情報提供サーバ７０とを接続するインターネット等の通信ネットワーク５０を備えている。情報提供サーバ７０、位置情報データベース３０、及び企業情報データベース４０は入力支援装置を構成する。
【００４２】
Ｗｅｂサーバ６０は資料請求・問い合わせを受ける会社が保有、管理する。情報提供サーバ７０、位置情報データベース３０及び企業情報データベース４０は入力支援サービスを行う会社が保有、管理する。位置情報データベース３０及び企業情報データベース４０は情報提供サーバ７０を保有、管理する会社とは別の会社が保有、管理していてもよい。
Ｗｅｂサーバ６０と情報提供サーバ７０とは同一の会社が保有、管理していてもよい。
【００４３】
情報提供サーバ７０の構成は、図３に示したＷｅｂサーバ２０の構成と同じである。本実施形態の入力支援システム２と第１の実施形態の入力支援システム１との違いは、Ｗｅｂサーバ６０が入力画面（Ｗｅｂページ）をユーザ端末１０に提供し、入力画面に企業情報を入力するための入力支援を情報提供サーバ７０がユーザ端末１０に行う点である。情報提供サーバ７０は入力画面（Ｗｅｂページ）をユーザ端末１０に提供する以外の動作はＷｅｂサーバ２０と同じである。
【００４４】
本実施形態の入力支援システムは、資料請求・問い合わせを受ける会社は資料請求・問い合わせ等を行うための入力画面（Ｗｅｂページ）を送信するＷｅｂサーバのみを保有すればよく、入力画面への情報入力を支援する情報提供サーバは情報提供支援業者が保有すればよい。よって、資料請求・問い合わせを受ける会社は入力画面への情報入力を支援する装置やソフトウェアを導入する必要がなく、入力画面への情報入力を支援するサービスは情報提供支援業者が一括して行うことができる。
【００４５】
以上説明した実施形態の入力支援システムのユーザ端末、Ｗｅｂサーバ、又は情報提供サーバはその機能の全部又は一部をハードウェア、ソフトウェア又はこれらの組み合わせにより実現することができる。ここで、ソフトウェアによって実現されるとは、コンピュータがプログラムを読み込んで実行することにより実現されることを意味する。ハードウェアで構成する場合、ユーザ端末、Ｗｅｂサーバ、又は情報提供サーバの一部又は全部を、例えば、ＬＳＩ(Large Scale Integrated circuit)、ＡＳＩＣ(Application Specific Integrated Circuit)、ゲートアレイ、ＦＰＧＡ(Field Programmable Gate Array)等の集積回路（ＩＣ）で構成することができる。
【００４６】
ソフトウェアによって実現する場合、ユーザ端末、Ｗｅｂサーバ、又は情報提供サーバの一部又は全部を、ＣＰＵとプログラムを記憶したハードディスク、ＲＯＭ等の記憶部とを含むコンピュータで構成して、図１−図３のブロック図と図７のフローチャートに沿ったプログラム、又は図８、図２、及び３のブロック図と図７のフローチャートに沿ったプログラムに従い、演算に必要な情報をＲＡＭ等の記憶部に記憶し、処理を実行することでユーザ端末、Ｗｅｂサーバ、又は情報提供サーバの一部又は全部の動作をプログラムで実行ことができる。プログラムは、プログラムが記録されたＣＤ−ＲＯＭ、ＤＶＤ、フラッシュメモリ等の外部記憶媒体からハードディスク等の記憶部に読み込むことができる。
【００４７】
以上、本発明の各実施形態を説明したが、本発明は、上述の各実施形態に限定されるものではなく、当業者であれば、特許請求の範囲の記載内容に基づき、本発明の要旨を逸脱しない範囲内で種々の態様に変形、変更することができ、これらの変形例や変更例も本発明の権利範囲に属するものである。
【００４８】
また、上述の実施形態では、他社に資料請求・問い合わせを行う際の、自社の企業情報の入力支援の例について説明したが、これに限らない。入力支援システムは他社の企業情報の入力に用いられてもよく、例えば、経理システムにおける決済の入力画面、営業システムにおける見込み顧客の登録画面、見積書作成画面、請求書作成画面等の企業情報の入力画面において、入力支援を行うようにしてもよい。他社の企業情報を入力する場合に、他社の企業名を用いて企業情報をサーチすることになるが、同一名の企業候補が取得された場合、ユーザ端末１０の位置情報から求められる住所を用いて、ユーザが入力画面に記入しようとする他社の企業名と一致する可能性が高い順に企業候補を並べることができる。例えば、ユーザ端末１０を保有する企業が東京都にある場合に、同一名の企業候補が東京都、群馬県、大阪府に有る場合に、距離の近い順に並べるようにする。また、ユーザ端末のＷｅｂブラウザに関連付けられたＩＰアドレスを用いてサーチ履歴を求めて、サーチの頻度の高い企業候補を上位に配置することができる。
【００４９】
本発明は、上述の各実施形態を含め、次のような構成を有する各種各様の実施形態を取ることができる。
すなわち、本発明に係る入力支援システム（例えば、前述の入力支援システム１又は２）は、Ｗｅｂページの入力画面に企業情報を入力する端末（例えば、前述のユーザ端末１０）と、前記入力画面への情報入力を支援する入力支援装置（例えば、前述のＷｅｂサーバ２０と位置情報データベース３０と企業情報データベース４０、又は前述の情報提供サーバ７０と位置情報データベース３０と企業情報データベース４０）とを備えた入力支援システムであって、
前記端末は、
前記入力支援装置と通信を行う第１通信手段（例えば、前述の通信部１３）と、
前記入力画面に企業名が入力されたことを検出し、該企業名と、Ｗｅｂブラウザに関連付けられたＩＰアドレス及び前記端末の位置情報の少なくとも一方と含む情報を前記入力支援装置に前記第１通信手段を介して送信する第１制御手段（例えば、前述の制御部１５）と、を備え、
前記入力支援装置は、
企業の、企業名と、Ｗｅｂブラウザに関連付けられたＩＰアドレス及び前記企業の住所の少なくとも一方とを含む企業情報を記憶する記憶手段（例えば、前述の記憶部２３）と、
前記端末から、入力された前記企業名と、前記ＩＰアドレス及び前記位置情報の少なくとも一方とを受信する第２通信手段（例えば、前述の通信部２１）と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する第２制御手段（例えば、前述の制御部２４）と、を備え、
前記第２制御手段は前記第２通信手段を介して、前記端末に前記企業候補と前記企業候補の企業情報とを送信し、
前記第１制御手段は、前記第１通信手段により受信した前記企業候補から選択された企業の企業情報に基づいて、前記入力画面に前記企業名以外の企業情報を入力する、入力支援システムである。
【００５０】
また本発明に係る入力支援システム（例えば、前述の入力支援システム１又は２）は、Ｗｅｂページの入力画面に企業情報を入力する端末（例えば、前述のユーザ端末１０）と、前記入力画面への情報入力を支援する入力支援装置（例えば、前述のＷｅｂサーバ２０と位置情報データベース３０と企業情報データベース４０、又は前述の情報提供サーバ７０と位置情報データベース３０と企業情報データベース４０）とを備えた入力支援システムであって、
前記端末は、
前記入力支援装置と通信を行う第１通信手段（例えば、前述の通信部１３）と、
Ｗｅｂブラウザに関連付けられたＩＰアドレス及び前記端末の位置情報の少なくとも一方を含む情報を前記入力支援装置に前記第１通信手段を介して送信する第１制御手段（例えば、前述の制御部１５）と、を備え、
前記入力支援装置は、
企業の、Ｗｅｂブラウザに関連付けられたＩＰアドレス及び前記企業の住所の少なくとも一方を含む企業情報を記憶する記憶手段（例えば、前述の記憶部２３）と、
前記端末から、前記ＩＰアドレス及び前記位置情報の少なくとも一方を受信する第２通信手段（例えば、前述の通信部２１）と、
前記位置情報を用いて取得された住所及び前記端末から受信した前記ＩＰアドレスの少なくとも一方を用いて、前記記憶手段から企業候補と該企業候補の企業情報を取得する第２制御手段（例えば、前述の制御部２４）と、を備え、
前記第２制御手段は前記第２通信手段を介して、前記端末に前記企業候補と前記企業候補の企業情報とを送信し、
前記第１制御手段は、前記第１通信手段により受信した前記企業候補から選択した企業の企業情報に基づいて、前記入力画面に前記企業情報を入力する、入力支援システムである。
【００５１】
また本発明に係る入力支援システム（例えば、前述の入力支援システム１又は２）は、Ｗｅｂページの入力画面に企業情報を入力する端末（例えば、前述のユーザ端末１０）と、前記入力画面への情報入力を支援する入力支援装置（例えば、前述のＷｅｂサーバ２０と位置情報データベース３０と企業情報データベース４０、又は前述の情報提供サーバ７０と位置情報データベース３０と企業情報データベース４０）とを備えた入力支援システムであって、
前記端末は、
前記入力支援装置と通信を行う第１通信手段（例えば、前述の通信部１３）と、
前記入力画面に企業名が入力されたことを検出し、該企業名と、Ｗｅｂブラウザに関連付けられたＩＰアドレス及び前記端末の位置情報の少なくとも一方と含む情報を前記入力支援装置に前記第１通信手段を介して送信する第１制御手段（例えば、前述の制御部１５）と、を備え、
前記入力支援装置は、企業の、企業名と、Ｗｅｂブラウザに関連付けられたＩＰアドレス及び前記企業の住所の少なくとも一方とを含む企業情報を記憶する記憶手段（例えば、前述の記憶部２３）と、
前記端末から、入力された前記企業名と、前記ＩＰアドレス及び前記位置情報の少なくとも一方とを受信する第２通信手段（例えば、前述の通信部２１）と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する第２制御手段（例えば、前述の制御部２４）と、を備え、
前記第２制御手段は前記第２通信手段を介して、前記端末に前記企業候補と前記企業候補の企業情報とを送信し、
前記第１制御手段は、前記第１通信手段により受信した前記企業候補から企業を選択し、選択情報を前記第１通信手段により前記入力支援装置に送信し、
前記第２制御手段は前記選択情報に基づいて、前記入力画面に入力される、選択された企業の企業名以外の企業情報を前記第１通信手段により前記端末に送信する、入力支援システムである。
【００５２】
また本発明に係る入力支援システム（例えば、前述の入力支援システム１又は２）は、Ｗｅｂページの入力画面に企業情報を入力する端末（例えば、前述のユーザ端末１０）と、前記入力画面への情報入力を支援する入力支援装置（例えば、前述のＷｅｂサーバ２０と位置情報データベース３０と企業情報データベース４０、又は前述の情報提供サーバ７０と位置情報データベース３０と企業情報データベース４０）とを備えた入力支援システムであって、
前記端末は、
前記入力支援装置と通信を行う第１通信手段（例えば、前述の通信部１３）と、
Ｗｅｂブラウザに関連付けられたＩＰアドレス及び前記端末の位置情報の少なくとも一方を含む情報を前記入力支援装置に前記第１通信手段を介して送信する第１制御手段（例えば、前述の制御部１５）と、を備え、
前記入力支援装置は、企業の、Ｗｅｂブラウザに関連付けられたＩＰアドレス及び前記企業の住所の少なくとも一方を含む企業情報を記憶する記憶手段（例えば、前述の記憶部２３）と、
前記端末から、前記ＩＰアドレス及び前記位置情報の少なくとも一方を受信する第２通信手段（例えば、前述の通信部２１）と、
前記位置情報を用いて取得された住所及び前記端末から受信した前記ＩＰアドレスの少なくとも一方を用いて、前記記憶手段から企業候補と該企業候補の企業情報を取得する第２制御手段（例えば、前述の制御部２４）と、を備え、
前記第２制御手段は前記第２通信手段を介して、前記端末に前記企業候補と前記企業候補の企業情報とを送信し、
前記第１制御手段は、前記第１通信手段により受信した前記企業候補から企業を選択し、選択情報を前記第１通信手段により前記入力支援装置に送信し、
前記第２制御手段は前記選択情報に基づいて前記入力画面に入力される、選択された企業の企業情報を前記第１通信手段により前記端末に送信する、入力支援システムである。
【００５３】
本発明に係る入力支援装置（例えば、前述のＷｅｂサーバ２０と位置情報データベース３０と企業情報データベース４０、又は前述の情報提供サーバ７０と位置情報データベース３０と企業情報データベース４０）は、端末（例えば、前述のユーザ端末１０）と接続され、該端末での、Ｗｅｂページの入力画面への企業情報入力を支援する入力支援装置であって、
企業の、企業名と、Ｗｅｂブラウザに関連付けられたＩＰアドレス及び前記企業の住所の少なくとも一方とを含む企業情報を記憶する記憶手段（例えば、前述の記憶部２３）と、
前記端末から、入力された前記企業名と、前記ＩＰアドレス及び前記位置情報の少なくとも一方とを受信する通信手段（例えば、前述の通信部２１）と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する制御手段（例えば、前述の制御部２４）と、を備え、
前記制御手段は前記通信手段を介して、前記端末に前記企業候補と前記企業候補の企業情報とを送信する、入力支援装置である。
【００５４】
また本発明に係る入力支援装置（例えば、前述のＷｅｂサーバ２０と位置情報データベース３０と企業情報データベース４０、又は前述の情報提供サーバ７０と位置情報データベース３０と企業情報データベース４０）は、端末（例えば、前述のユーザ端末１０）と接続され、該端末での、Ｗｅｂページの入力画面への企業情報入力を支援する入力支援装置であって、
企業の、Ｗｅｂブラウザに関連付けられたＩＰアドレス及び前記企業の住所の少なくとも一方を含む企業情報を記憶する記憶手段（例えば、前述の記憶部２３）と、
前記端末から、前記ＩＰアドレス及び前記位置情報の少なくとも一方を受信する通信手段（例えば、前述の通信部２１）と、
前記位置情報を用いて取得された住所及び前記端末から受信した前記ＩＰアドレスの少なくとも一方を用いて、前記記憶手段から企業候補と該企業候補の企業情報を取得する制御手段（例えば、前述の制御部２４）と、を備え、
前記制御手段は前記通信手段を介して、前記端末に前記企業候補と前記企業候補の企業情報とを送信する、入力支援装置である。
【００５５】
また本発明に係る入力支援装置（例えば、前述のＷｅｂサーバ２０と位置情報データベース３０と企業情報データベース４０、又は前述の情報提供サーバ７０と位置情報データベース３０と企業情報データベース４０）は、端末（例えば、前述のユーザ端末１０）と接続され、該端末での、Ｗｅｂページの入力画面への企業情報入力を支援する入力支援装置であって、
企業の、企業名と、Ｗｅｂブラウザに関連付けられたＩＰアドレス及び前記企業の住所の少なくとも一方とを含む企業情報を記憶する記憶手段（例えば、前述の記憶部２３）と、
前記端末から、入力された前記企業名と、前記ＩＰアドレス及び前記位置情報の少なくとも一方とを受信する通信手段（例えば、前述の通信部２１）と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する制御手段（例えば、前述の制御部２４）と、を備え、
前記制御手段は、前記通信手段により、前記端末に前記企業候補と前記企業候補の企業情報とを送信し、
前記制御手段は、前記端末から受信した、前記企業候補から選択された企業の選択情報に基づいて、前記入力画面に入力される、選択された企業の企業名以外の企業情報を前記通信手段により前記端末に送信する、入力支援装置である。
【００５６】
また本発明に係る入力支援装置（例えば、前述のＷｅｂサーバ２０と位置情報データベース３０と企業情報データベース４０、又は前述の情報提供サーバ７０と位置情報データベース３０と企業情報データベース４０）は、端末（例えば、前述のユーザ端末１０）と接続され、該端末での、Ｗｅｂページの入力画面への企業情報入力を支援する入力支援装置であって、
企業の、Ｗｅｂブラウザに関連付けられたＩＰアドレス及び前記企業の住所の少なくとも一方を含む企業情報を記憶する記憶手段（例えば、前述の記憶部２３）と、
前記端末から、前記ＩＰアドレス及び前記位置情報の少なくとも一方を受信する通信手段（例えば、前述の通信部２１）と、
前記位置情報を用いて取得された住所及び前記端末から受信した前記ＩＰアドレスの少なくとも一方を用いて、前記記憶手段から企業候補と該企業候補の企業情報を取得する制御手段（例えば、前述の制御部２４）と、を備え、
前記制御手段は、前記通信手段により、前記端末に前記企業候補と前記企業候補の企業情報とを送信し、
前記制御手段は、前記端末から受信した、前記企業候補から選択された企業の選択情報に基づいて、前記入力画面に入力される、選択された企業の企業情報を前記通信手段により前記端末に送信する、入力支援装置である。
【００５７】
本発明に係る入力支援方法は、端末（例えば、前述のユーザ端末１０）と接続され、該端末での、Ｗｅｂページの入力画面への企業情報入力を支援する入力支援装置（例えば、前述のＷｅｂサーバ２０と位置情報データベース３０と企業情報データベース４０、又は前述の情報提供サーバ７０と位置情報データベース３０と企業情報データベース４０）の入力支援方法であって、
企業の、企業名と、Ｗｅｂブラウザに関連付けられたＩＰアドレス及び前記企業の住所の少なくとも一方とを含む企業情報を記憶し、
前記端末から、入力された前記企業名と、前記ＩＰアドレス及び前記位置情報の少なくとも一方とを受信し、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得し、
前記端末に前記企業候補と前記企業候補の企業情報とを送信する、入力支援方法である。
【００５８】
また本発明に係る入力支援方法は、端末（例えば、前述のユーザ端末１０）と接続され、該端末での、Ｗｅｂページの入力画面への企業情報入力を支援する入力支援装置（例えば、前述のＷｅｂサーバ２０と位置情報データベース３０と企業情報データベース４０、又は前述の情報提供サーバ７０と位置情報データベース３０と企業情報データベース４０）の入力支援方法であって、
企業の、Ｗｅｂブラウザに関連付けられたＩＰアドレス及び前記企業の住所の少なくとも一方を含む企業情報を記憶し、
前記端末から、前記ＩＰアドレス及び前記位置情報の少なくとも一方を受信し、
前記位置情報を用いて取得された住所及び前記端末から受信した前記ＩＰアドレスの少なくとも一方を用いて、前記記憶手段から企業候補と該企業候補の企業情報を取得し、
前記端末に前記企業候補と前記企業候補の企業情報とを送信する、入力支援方法である。
【００５９】
また本発明に係る入力支援方法は、端末（例えば、前述のユーザ端末１０）と接続され、該端末での、Ｗｅｂページの入力画面への企業情報入力を支援する入力支援装置（例えば、前述のＷｅｂサーバ２０と位置情報データベース３０と企業情報データベース４０、又は前述の情報提供サーバ７０と位置情報データベース３０と企業情報データベース４０）の入力支援方法であって、
企業の、企業名と、Ｗｅｂブラウザに関連付けられたＩＰアドレス及び前記企業の住所の少なくとも一方とを含む企業情報を記憶し、
前記端末から、入力された前記企業名と、前記ＩＰアドレス及び前記位置情報の少なくとも一方とを受信し、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得し、
前記端末に前記企業候補と前記企業候補の企業情報とを送信し、
前記端末から受信した、前記企業候補から選択された企業の選択情報に基づいて、前記入力画面に入力される、選択された企業の企業名以外の企業情報を前記端末に送信する、入力支援方法である。
【００６０】
また本発明に係る入力支援方法は、端末（例えば、前述のユーザ端末１０）と接続され、該端末での、Ｗｅｂページの入力画面への企業情報入力を支援する入力支援装置（例えば、前述のＷｅｂサーバ２０と位置情報データベース３０と企業情報データベース４０、又は前述の情報提供サーバ７０と位置情報データベース３０と企業情報データベース４０）の入力支援方法であって、
企業の、Ｗｅｂブラウザに関連付けられたＩＰアドレス及び前記企業の住所の少なくとも一方を含む企業情報を記憶し、
前記端末から、前記ＩＰアドレス及び前記位置情報の少なくとも一方を受信し、
前記位置情報を用いて取得された住所及び前記端末から受信した前記ＩＰアドレスの少なくとも一方を用いて、前記記憶手段から企業候補と該企業候補の企業情報を取得し、
前記端末に前記企業候補と前記企業候補の企業情報とを送信し、
前記端末から受信した、前記企業候補から選択された企業の選択情報に基づいて、前記入力画面に入力される、選択された企業の企業情報を前記端末に送信する、入力支援方法である。
【００６１】
本発明に係る入力支援用プログラムは、端末（例えば、前述のユーザ端末１０）と接続され、該端末での、Ｗｅｂページの入力画面への企業情報入力を支援する入力支援装置（例えば、前述のＷｅｂサーバ２０又は前述の情報提供サーバ７０）としてのコンピュータに、
企業の、企業名と、Ｗｅｂブラウザに関連付けられたＩＰアドレス及び前記企業の住所の少なくとも一方とを含む企業情報を記憶する処理と、
前記端末から、入力された前記企業名と、前記ＩＰアドレス及び前記位置情報の少なくとも一方とを受信する処理と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する処理と、
前記端末に前記企業候補と前記企業候補の企業情報とを送信する処理と、を実行させる入力支援用プログラムである。
【００６２】
また本発明に係る入力支援用プログラムは、端末（例えば、前述のユーザ端末１０）と接続され、該端末での、Ｗｅｂページの入力画面への企業情報入力を支援する入力支援装置（例えば、前述のＷｅｂサーバ２０と位置情報データベース３０と企業情報データベース４０、又は前述の情報提供サーバ７０と位置情報データベース３０と企業情報データベース４０）としてのコンピュータに、
企業の、Ｗｅｂブラウザに関連付けられたＩＰアドレス及び前記企業の住所の少なくとも一方を含む企業情報を記憶する処理と、
前記端末から、前記ＩＰアドレス及び前記位置情報の少なくとも一方を受信する処理と、
前記位置情報を用いて取得された住所及び前記端末から受信した前記ＩＰアドレスの少なくとも一方を用いて、前記記憶手段から企業候補と該企業候補の企業情報を取得する処理と、
前記端末に前記企業候補と前記企業候補の企業情報とを送信する処理と、を実行させる入力支援用プログラムである。
【００６３】
また本発明に係る入力支援用プログラムは、端末（例えば、前述のユーザ端末１０）と接続され、該端末での、Ｗｅｂページの入力画面への企業情報入力を支援する入力支援装置（例えば、前述のＷｅｂサーバ２０と位置情報データベース３０と企業情報データベース４０、又は前述の情報提供サーバ７０と位置情報データベース３０と企業情報データベース４０）としてのコンピュータに、
企業の、企業名と、Ｗｅｂブラウザに関連付けられたＩＰアドレス及び前記企業の住所の少なくとも一方とを含む企業情報を記憶する処理と、
前記端末から、入力された前記企業名と、前記ＩＰアドレス及び前記位置情報の少なくとも一方とを受信する処理と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する処理と、
前記端末に前記企業候補と前記企業候補の企業情報とを送信する処理と、
前記端末から受信した、前記企業候補から選択された企業の選択情報に基づいて、前記入力画面に入力される、選択された企業の企業名以外の企業情報を前記端末に送信する処理と、を実行させる入力支援用プログラムである。
【００６４】
また本発明に係る入力支援用プログラムは、端末（例えば、前述のユーザ端末１０）と接続され、該端末での、Ｗｅｂページの入力画面への企業情報入力を支援する入力支援装置（例えば、前述のＷｅｂサーバ２０と位置情報データベース３０と企業情報データベース４０、又は前述の情報提供サーバ７０と位置情報データベース３０と企業情報データベース４０）としてのコンピュータに、
企業の、Ｗｅｂブラウザに関連付けられたＩＰアドレス及び前記企業の住所の少なくとも一方を含む企業情報を記憶する処理と、
前記端末から、前記ＩＰアドレス及び前記位置情報の少なくとも一方を受信する処理と、
前記位置情報を用いて取得された住所及び前記端末から受信した前記ＩＰアドレスの少なくとも一方を用いて、前記記憶手段から企業候補と該企業候補の企業情報を取得する処理と、
前記端末に前記企業候補と前記企業候補の企業情報とを送信する処理と、
前記端末から受信した、前記企業候補から選択された企業の選択情報に基づいて、前記入力画面に入力される、選択された企業の企業情報を前記端末に送信する処理と、を実行させる入力支援用プログラムである。
【符号の説明】
【００６５】
１、２  入力支援システム
１０  ユーザ端末
２０、６０  Ｗｅｂサーバ
３０  位置情報データベース
４０  企業情報データベース
５０  通信ネットワーク
７０  情報提供サーバ
【図１】
2019079223.tif 000003
【図２】
2019079223.tif 000004
【図３】
2019079223.tif 000005
【図４】
2019079223.tif 000006
【図５】
2019079223.tif 000007
【図６】
2019079223.tif 000008
【図７】
2019079223.tif 000009
【図８】
2019079223.tif 000010
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
Ｗｅｂページの入力画面に企業情報を入力する端末と、前記入力画面への情報入力を支援する入力支援装置とを備えた入力支援システムであって、
前記端末は、
前記入力支援装置と通信を行う第１通信手段と、
前記入力画面に企業名が入力されたことを検出し、該企業名と、前記端末のＷｅｂブラウザに関連付けられたＩＰアドレス及び前記端末の位置情報の少なくとも一方と含む情報を前記入力支援装置に前記第１通信手段を介して送信する第１制御手段と、を備え、
前記入力支援装置は、
企業の、企業名と、Ｗｅｂブラウザに関連付けられたＩＰアドレス及び前記企業の住所の少なくとも一方とを含む企業情報を記憶する記憶手段と、
前記端末から、入力された前記企業名と、前記ＩＰアドレス及び前記位置情報の少なくとも一方とを受信する第２通信手段と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する第２制御手段と、を備え、
前記第２制御手段は前記第２通信手段を介して、前記端末に前記企業候補と前記企業候補の企業情報とを送信し、
前記第１制御手段は、前記第１通信手段により受信した前記企業候補から選択された企業の企業情報に基づいて、前記入力画面に前記企業名以外の企業情報を入力し、
前記入力画面に入力される前記企業名は、前記端末のユーザが属する企業の企業名である、入力支援システム。
【請求項２】
Ｗｅｂページの入力画面に企業情報を入力する端末と、前記入力画面への情報入力を支援する入力支援装置とを備えた入力支援システムであって、
前記端末は、
前記入力支援装置と通信を行う第１通信手段と、
前記端末のＷｅｂブラウザに関連付けられたＩＰアドレス及び前記端末の位置情報の少なくとも一方を含む情報を前記入力支援装置に前記第１通信手段を介して送信する第１制御手段と、を備え、
前記入力支援装置は、
企業の、Ｗｅｂブラウザに関連付けられたＩＰアドレス及び前記企業の住所の少なくとも一方を含む企業情報を記憶する記憶手段と、
前記端末から、前記ＩＰアドレス及び前記位置情報の少なくとも一方を受信する第２通信手段と、
前記位置情報を用いて取得された住所及び前記端末から受信した前記ＩＰアドレスの少なくとも一方を用いて、前記記憶手段から企業候補と該企業候補の企業情報を取得する第２制御手段と、を備え、
前記第２制御手段は前記第２通信手段を介して、前記端末に前記企業候補と前記企業候補の企業情報とを送信し、
前記第１制御手段は、前記第１通信手段により受信した前記企業候補から選択された企業の企業情報に基づいて、前記入力画面に前記企業情報を入力し、
前記企業候補は前記端末のユーザが属する企業を選択するための企業候補である、入力支援システム。
【請求項３】
Ｗｅｂページの入力画面に企業情報を入力する端末と、前記入力画面への情報入力を支援する入力支援装置とを備えた入力支援システムであって、
前記端末は、
前記入力支援装置と通信を行う第１通信手段と、
前記入力画面に企業名が入力されたことを検出し、該企業名と、前記端末のＷｅｂブラウザに関連付けられたＩＰアドレス及び前記端末の位置情報の少なくとも一方と含む情報を前記入力支援装置に前記第１通信手段を介して送信する第１制御手段と、を備え、
前記入力支援装置は、
企業の、企業名と、Ｗｅｂブラウザに関連付けられたＩＰアドレス及び前記企業の住所の少なくとも一方とを含む企業情報を記憶する記憶手段と、
前記端末から、入力された前記企業名と、前記ＩＰアドレス及び前記位置情報の少なくとも一方とを受信する第２通信手段と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する第２制御手段と、を備え、
前記第２制御手段は前記第２通信手段を介して、前記端末に前記企業候補と前記企業候補の企業情報とを送信し、
前記第１制御手段は、前記第１通信手段により受信した前記企業候補から企業を選択し、選択情報を前記第１通信手段により前記入力支援装置に送信し、
前記第２制御手段は前記選択情報に基づいて、前記入力画面に入力される、選択された企業の企業名以外の企業情報を前記第１通信手段により前記端末に送信し、
前記入力画面に入力される前記企業名は前記端末のユーザが属する企業の企業名である、入力支援システム。
【請求項４】
Ｗｅｂページの入力画面に企業情報を入力する端末と、前記入力画面への情報入力を支援する入力支援装置とを備えた入力支援システムであって、
前記端末は、
前記入力支援装置と通信を行う第１通信手段と、
前記端末のＷｅｂブラウザに関連付けられたＩＰアドレス及び前記端末の位置情報の少なくとも一方を含む情報を前記入力支援装置に前記第１通信手段を介して送信する第１制御手段と、を備え、
前記入力支援装置は、
企業の、Ｗｅｂブラウザに関連付けられたＩＰアドレス及び前記企業の住所の少なくとも一方を含む企業情報を記憶する記憶手段と、
前記端末から、前記ＩＰアドレス及び前記位置情報の少なくとも一方を受信する第２通信手段と、
前記位置情報を用いて取得された住所及び前記端末から受信した前記ＩＰアドレスの少なくとも一方を用いて、前記記憶手段から企業候補と該企業候補の企業情報を取得する第２制御手段と、を備え、
前記第２制御手段は前記第２通信手段を介して、前記端末に前記企業候補と前記企業候補の企業情報とを送信し、
前記第１制御手段は、前記第１通信手段により受信した前記企業候補から企業を選択し、選択情報を前記第１通信手段により前記入力支援装置に送信し、
前記第２制御手段は前記選択情報に基づいて前記入力画面に入力される、選択された企業の企業情報を前記第１通信手段により前記端末に送信し、
前記企業候補は前記端末のユーザが属する企業を選択するための企業候補である、入力支援システム。
【請求項５】
端末と接続され、該端末での、Ｗｅｂページの入力画面への企業情報入力を支援する入力支援装置であって、
企業の、企業名と、Ｗｅｂブラウザに関連付けられたＩＰアドレス及び前記企業の住所の少なくとも一方とを含む企業情報を記憶する記憶手段と、
前記端末から、入力された前記企業名と、前記端末のＷｅｂブラウザに関連付けられたＩＰアドレス及び前記端末の位置情報の少なくとも一方とを受信する通信手段と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する制御手段と、を備え、
前記制御手段は前記通信手段を介して、前記端末に前記企業候補と前記企業候補の企業情報とを送信し、
前記入力画面に入力される前記企業名は前記端末のユーザが属する企業の企業名である、入力支援装置。
【請求項６】
端末と接続され、該端末での、Ｗｅｂページの入力画面への企業情報入力を支援する入力支援装置であって、
企業の、Ｗｅｂブラウザに関連付けられたＩＰアドレス及び前記企業の住所の少なくとも一方を含む企業情報を記憶する記憶手段と、
前記端末から、前記端末のＷｅｂブラウザに関連付けられたＩＰアドレス及び前記端末の位置情報の少なくとも一方を受信する通信手段と、
前記位置情報を用いて取得された住所及び前記端末から受信した前記ＩＰアドレスの少なくとも一方を用いて、前記記憶手段から企業候補と該企業候補の企業情報を取得する制御手段と、を備え、
前記制御手段は前記通信手段を介して、前記端末に前記企業候補と前記企業候補の企業情報とを送信し、
前記企業候補は前記端末のユーザが属する企業を選択するための企業候補である、入力支援装置。
【請求項７】
端末と接続され、該端末での、Ｗｅｂページの入力画面への企業情報入力を支援する入力支援装置であって、
企業の、企業名と、Ｗｅｂブラウザに関連付けられたＩＰアドレス及び前記企業の住所の少なくとも一方とを含む企業情報を記憶する記憶手段と、
前記端末から、入力された前記企業名と、前記端末のＷｅｂブラウザに関連付けられたＩＰアドレス及び前記端末の位置情報の少なくとも一方とを受信する通信手段と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する制御手段と、を備え、
前記制御手段は、前記通信手段により、前記端末に前記企業候補と前記企業候補の企業情報とを送信し、
前記制御手段は、前記端末から受信した、前記企業候補から選択された企業の選択情報に基づいて、前記入力画面に入力される、選択された企業の企業名以外の企業情報を前記通信手段により前記端末に送信し、
前記入力画面に入力される前記企業名は前記端末のユーザが属する企業の企業名である、入力支援装置。
【請求項８】
端末と接続され、該端末での、Ｗｅｂページの入力画面への企業情報入力を支援する入力支援装置であって、
企業の、Ｗｅｂブラウザに関連付けられたＩＰアドレス及び前記企業の住所の少なくとも一方を含む企業情報を記憶する記憶手段と、
前記端末から、前記端末のＷｅｂブラウザに関連付けられたＩＰアドレス及び前記端末の位置情報の少なくとも一方を受信する通信手段と、
前記位置情報を用いて取得された住所及び前記端末から受信した前記ＩＰアドレスの少なくとも一方を用いて、前記記憶手段から企業候補と該企業候補の企業情報を取得する制御手段と、を備え、
前記制御手段は、前記通信手段により、前記端末に前記企業候補と前記企業候補の企業情報とを送信し、
前記制御手段は、前記端末から受信した、前記企業候補から選択された企業の選択情報に基づいて、前記入力画面に入力される、選択された企業の企業情報を前記通信手段により前記端末に送信し、
前記企業候補は前記端末のユーザが属する企業を選択するための企業候補である、入力支援装置。
【手続補正２】
【補正対象書類名】明細書
【補正対象項目名】０００６
【補正方法】変更
【補正の内容】
【０００６】
（１）  本発明に係る第１の態様は、Ｗｅｂページの入力画面に企業情報を入力する端末と、前記入力画面への情報入力を支援する入力支援装置とを備えた入力支援システムであって、
前記端末は、
前記入力支援装置と通信を行う第１通信手段と、
前記入力画面に企業名が入力されたことを検出し、該企業名と、前記端末のＷｅｂブラウザに関連付けられたＩＰアドレス及び前記端末の位置情報の少なくとも一方と含む情報を前記入力支援装置に前記第１通信手段を介して送信する第１制御手段と、を備え、
前記入力支援装置は、企業の、企業名と、Ｗｅｂブラウザに関連付けられたＩＰアドレス及び前記企業の住所の少なくとも一方とを含む企業情報を記憶する記憶手段と、
前記端末から、入力された前記企業名と、前記ＩＰアドレス及び前記位置情報の少なくとも一方とを受信する第２通信手段と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する第２制御手段と、を備え、
前記第２制御手段は前記第２通信手段を介して、前記端末に前記企業候補と前記企業候補の企業情報とを送信し、
前記第１制御手段は、前記第１通信手段により受信した前記企業候補から選択された企業の企業情報に基づいて、前記入力画面に前記企業名以外の企業情報を入力し、
前記入力画面に入力される前記企業名は、前記端末のユーザが属する企業の企業名である、入力支援システムである。
【手続補正３】
【補正対象書類名】明細書
【補正対象項目名】０００７
【補正方法】変更
【補正の内容】
【０００７】
（２）  本発明に係る第２の態様は、Ｗｅｂページの入力画面に企業情報を入力する端末と、前記入力画面への情報入力を支援する入力支援装置とを備えた入力支援システムであって、
前記端末は、
前記入力支援装置と通信を行う第１通信手段と、
前記端末のＷｅｂブラウザに関連付けられたＩＰアドレス及び前記端末の位置情報の少なくとも一方を含む情報を前記入力支援装置に前記第１通信手段を介して送信する第１制御手段と、を備え、
前記入力支援装置は、企業の、Ｗｅｂブラウザに関連付けられたＩＰアドレス及び前記企業の住所の少なくとも一方を含む企業情報を記憶する記憶手段と、
前記端末から、前記ＩＰアドレス及び前記位置情報の少なくとも一方を受信する第２通信手段と、
前記位置情報を用いて取得された住所及び前記端末から受信した前記ＩＰアドレスの少なくとも一方を用いて、前記記憶手段から企業候補と該企業候補の企業情報を取得する第２制御手段と、を備え、
前記第２制御手段は前記第２通信手段を介して、前記端末に前記企業候補と前記企業候補の企業情報とを送信し、
前記第１制御手段は、前記第１通信手段により受信した前記企業候補から選択された企業の企業情報に基づいて、前記入力画面に前記企業情報を入力し、
前記企業候補は前記端末のユーザが属する企業を選択するための企業候補である、入力支援システムである。
【手続補正４】
【補正対象書類名】明細書
【補正対象項目名】０００８
【補正方法】変更
【補正の内容】
【０００８】
（３）  本発明に係る第３の態様は、Ｗｅｂページの入力画面に企業情報を入力する端末と、前記入力画面への情報入力を支援する入力支援装置とを備えた入力支援システムであって、
前記端末は、
前記入力支援装置と通信を行う第１通信手段と、
前記入力画面に企業名が入力されたことを検出し、該企業名と、前記端末のＷｅｂブラウザに関連付けられたＩＰアドレス及び前記端末の位置情報の少なくとも一方と含む情報を前記入力支援装置に前記第１通信手段を介して送信する第１制御手段と、を備え、
前記入力支援装置は、企業の、企業名と、Ｗｅｂブラウザに関連付けられたＩＰアドレス及び前記企業の住所の少なくとも一方とを含む企業情報を記憶する記憶手段と、
前記端末から、入力された前記企業名と、前記ＩＰアドレス及び前記位置情報の少なくとも一方とを受信する第２通信手段と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する第２制御手段と、を備え、
前記第２制御手段は前記第２通信手段を介して、前記端末に前記企業候補と前記企業候補の企業情報とを送信し、
前記第１制御手段は、前記第１通信手段により受信した前記企業候補から企業を選択し、選択情報を前記第１通信手段により前記入力支援装置に送信し、
前記第２制御手段は前記選択情報に基づいて、前記入力画面に入力される、選択された企業の企業名以外の企業情報を前記第１通信手段により前記端末に送信し、
前記入力画面に入力される前記企業名は前記端末のユーザが属する企業の企業名である、入力支援システムである。
【手続補正５】
【補正対象書類名】明細書
【補正対象項目名】０００９
【補正方法】変更
【補正の内容】
【０００９】
（４）  本発明に係る第４の態様は、Ｗｅｂページの入力画面に企業情報を入力する端末と、前記入力画面への情報入力を支援する入力支援装置とを備えた入力支援システムであって、
前記端末は、
前記入力支援装置と通信を行う第１通信手段と、
前記端末のＷｅｂブラウザに関連付けられたＩＰアドレス及び前記端末の位置情報の少なくとも一方を含む情報を前記入力支援装置に前記第１通信手段を介して送信する第１制御手段と、を備え、
前記入力支援装置は、企業の、Ｗｅｂブラウザに関連付けられたＩＰアドレス及び前記企業の住所の少なくとも一方を含む企業情報を記憶する記憶手段と、
前記端末から、前記ＩＰアドレス及び前記位置情報の少なくとも一方を受信する第２通信手段と、
前記位置情報を用いて取得された住所及び前記端末から受信した前記ＩＰアドレスの少なくとも一方を用いて、前記記憶手段から企業候補と該企業候補の企業情報を取得する第２制御手段と、を備え、
前記第２制御手段は前記第２通信手段を介して、前記端末に前記企業候補と前記企業候補の企業情報とを送信し、
前記第１制御手段は、前記第１通信手段により受信した前記企業候補から企業を選択し、選択情報を前記第１通信手段により前記入力支援装置に送信し、
前記第２制御手段は前記選択情報に基づいて前記入力画面に入力される、選択された企業の企業情報を前記第１通信手段により前記端末に送信し、
前記企業候補は前記端末のユーザが属する企業を選択するための企業候補である、入力支援システムである。
【手続補正６】
【補正対象書類名】明細書
【補正対象項目名】００１０
【補正方法】変更
【補正の内容】
【００１０】
（５）  本発明に係る第５の態様は、端末と接続され、該端末での、Ｗｅｂページの入力画面への企業情報入力を支援する入力支援装置であって、
企業の、企業名と、Ｗｅｂブラウザに関連付けられたＩＰアドレス及び前記企業の住所の少なくとも一方とを含む企業情報を記憶する記憶手段と、
前記端末から、入力された前記端末のＷｅｂブラウザに関連付けられた企業名と、前記ＩＰアドレス及び前記端末の位置情報の少なくとも一方とを受信する通信手段と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する制御手段と、を備え、
前記制御手段は前記通信手段を介して、前記端末に前記企業候補と前記企業候補の企業情報とを送信し、
前記入力画面に入力される前記企業名は前記端末のユーザが属する企業の企業名である、入力支援装置である。
【手続補正７】
【補正対象書類名】明細書
【補正対象項目名】００１１
【補正方法】変更
【補正の内容】
【００１１】
（６）  本発明に係る第６の態様は、端末と接続され、該端末での、Ｗｅｂページの入力画面への企業情報入力を支援する入力支援装置であって、
企業の、Ｗｅｂブラウザに関連付けられたＩＰアドレス及び前記企業の住所の少なくとも一方を含む企業情報を記憶する記憶手段と、
前記端末から、前記端末のＷｅｂブラウザに関連付けられたＩＰアドレス及び前記端末の位置情報の少なくとも一方を受信する通信手段と、
前記位置情報を用いて取得された住所及び前記端末から受信した前記ＩＰアドレスの少なくとも一方を用いて、前記記憶手段から企業候補と該企業候補の企業情報を取得する制御手段と、を備え、
前記制御手段は前記通信手段を介して、前記端末に前記企業候補と前記企業候補の企業情報とを送信し、
前記企業候補は前記端末のユーザが属する企業を選択するための企業候補である、入力支援装置である。
【手続補正８】
【補正対象書類名】明細書
【補正対象項目名】００１２
【補正方法】変更
【補正の内容】
【００１２】
（７）  本発明に係る第７の態様は、端末と接続され、該端末での、Ｗｅｂページの入力画面への企業情報入力を支援する入力支援装置であって、
企業の、企業名と、Ｗｅｂブラウザに関連付けられたＩＰアドレス及び前記企業の住所の少なくとも一方とを含む企業情報を記憶する記憶手段と、
前記端末から、入力された前記企業名と、前記端末のＷｅｂブラウザに関連付けられたＩＰアドレス及び前記端末の位置情報の少なくとも一方とを受信する通信手段と、
前記位置情報を用いて取得された住所及び前記端末から受信した前記ＩＰアドレスの少なくとも一方と、前記端末から受信した前記企業名とを用いて、前記記憶手段から企業候補と該企業候補の企業情報を取得する制御手段と、を備え、
前記制御手段は、前記通信手段により、前記端末に前記企業候補と前記企業候補の企業情報とを送信し、
前記制御手段は、前記端末から受信した、前記企業候補から選択された企業の選択情報に基づいて、前記入力画面に入力される、選択された企業の企業名以外の企業情報を前記通信手段により前記端末に送信し、
前記入力画面に入力される前記企業名は前記端末のユーザが属する企業の企業名である、入力支援装置である。
【手続補正９】
【補正対象書類名】明細書
【補正対象項目名】００１３
【補正方法】変更
【補正の内容】
【００１３】
（８）  本発明に係る第８の態様は、端末と接続され、該端末での、Ｗｅｂページの入力画面への企業情報入力を支援する入力支援装置であって、
企業の、Ｗｅｂブラウザに関連付けられたＩＰアドレス及び前記企業の住所の少なくとも一方を含む企業情報を記憶する記憶手段と、
前記端末から、前記端末のＷｅｂブラウザに関連付けられたＩＰアドレス及び前記端末の位置情報の少なくとも一方を受信する通信手段と、
前記位置情報を用いて取得された住所及び前記端末から受信した前記ＩＰアドレスの少なくとも一方を用いて、前記記憶手段から企業候補と該企業候補の企業情報を取得する制御手段と、を備え、
前記制御手段は、前記通信手段により、前記端末に前記企業候補と前記企業候補の企業情報とを送信し、
前記制御手段は、前記端末から受信した、前記企業候補から選択された企業の選択情報に基づいて、前記入力画面に入力される、選択された企業の企業情報を前記通信手段により前記端末に送信し、
前記企業候補は前記端末のユーザが属する企業を選択するための企業候補である、入力支援装置である。